(57)【特許請求の範囲】
【請求項１】
レーザビーム発光素子と、入力される信号に基づき前記レーザビーム発光素子の発光を制御するレーザ制御手段と、前記レーザビーム発光素子による発光に基づいて静電潜像を形成する像担持体と、前記像担持体上の静電潜像にトナーを付着させトナー画像として可視化させる現像器とを備えた画像形成装置であって、
前記レーザ制御手段に入力される信号であって、前記レーザビーム発光素子の発光を制御するためのビデオ信号を入力し、前記入力されたビデオ信号をカウントするカウント手段を備え、
前記カウント手段は、前記入力されたビデオ信号について、１ページの画像領域全ての前記ビデオ信号をカウントすることなく、１ページの全画像領域におけるランダムな複数の箇所で前記ビデオ信号をカウントし、
前記複数の箇所における前記ビデオ信号のサンプル数に対する前記カウントでの前記レーザビーム発光素子を発光させるビデオ信号の数の比率に応じたトナー消費量に係る予測を行う、或いは、前記複数の箇所における前記ビデオ信号のサンプル数に対する前記カウントでの前記レーザビーム発光素子を発光させるビデオ信号の数の比率に応じたトナー消費量に対応した処理を行うことを特徴とする画像形成装置。
【請求項２】
前記カウント手段は、１ページの全画像領域が分割された各サンプル区間の夫々に対応して、ランダムな箇所で前記入力されたビデオ信号をカウントすることを特徴とする請求項１に記載の画像形成装置。
【請求項３】
前記各サンプル区間の夫々に対応して、前記ビデオ信号をカウントするランダムな箇所を示すビデオ信号を生成するランダム信号生成手段をさらに備え、
前記カウント手段は、前記生成されたランダムな箇所を示すビデオ信号に従い前記入力されたビデオ信号をカウントすることを特徴とする請求項２に記載の画像形成装置。
【請求項４】
前記画像領域を示すカウンタ値のカウントに基づき、前記１ページの画像領域を分割する手段をさらに備えることを特徴とする請求項２又は３に記載の画像形成装置。
【請求項５】
レーザビーム発光素子と、入力される信号に基づき前記レーザビーム発光素子の発光を制御するレーザ制御手段と、前記レーザビーム発光素子による発光に基づいて静電潜像を形成する像担持体と、前記像担持体上の静電潜像にトナーを付着させトナー画像として可視化させる現像器とを備えた画像形成装置における画像形成方法であって、
前記レーザ制御手段に入力される信号であって、前記レーザビーム発光素子の発光を制御するためのビデオ信号を入力し、前記入力されたビデオ信号をカウントするカウント工程を備え、
前記カウント工程が、前記入力されたビデオ信号について、１ページの画像領域全ての前記ビデオ信号をカウントすることなく、１ページの全画像領域におけるランダムな複数の箇所で前記ビデオ信号をカウントし、
前記複数の箇所における前記ビデオ信号のサンプル数に対する前記カウントでの前記レーザビーム発光素子を発光させるビデオ信号の数の比率に応じたトナー消費量に係る予測を行う、或いは、前記複数の箇所における前記ビデオ信号のサンプル数に対する前記カウントでの前記レーザビーム発光素子を発光させるビデオ信号の数の比率に応じたトナー消費量に対応した処理を行う工程を有することを特徴とする画像形成方法。
【請求項６】
前記カウント工程は、１ページの全画像領域が分割された各サンプル区間の夫々に対応して、ランダムな箇所で前記入力されたビデオ信号をカウントすることを特徴とする請求項５に記載の画像形成方法。
【請求項７】
前記各サンプル区間の夫々に対応して、前記ビデオ信号をカウントするランダムな箇所を示すビデオ信号を生成するランダム信号生成工程をさらに備え、
前記カウント工程が、前記生成されたランダムな箇所を示すビデオ信号に従い前記入力されたビデオ信号をカウントすることを特徴とする請求項６に記載の画像形成方法。
【請求項８】
前記画像領域を示すカウンタ値のカウントに基づき、前記１ページの画像領域を分割する工程をさらに備えることを特徴とする請求項６又は７に記載の画像形成方法。
【発明の詳細な説明】
【０００１】
【発明の属する技術分野】
本発明は、電子写真プロセスを用いて静電潜像を具現化する画像形成装置および方法に関する。より詳しくは、レーザビームプリンタ、複写機、ファクシミリ等におけるトナー消費量の予測に関する技術に関する。
【０００２】
【従来の技術】
電子写真プロセスを用いて画像形成を行う、レーザビームプリンタ、複写機及びファクシミリ装置では、トナー及びキャリアを主成分とした二成分現像剤が用いられている。  この方式の場合には、トナーとキャリアの比率が画像濃度に対して極めて重要である。現像時には、混合されたトナーとキャリアのうちトナーは消費されキャリアについては消費されない為このトナーとキャリアの比率は変化する。このための二成分現像剤を用いる画像形成装置では、現像剤のトナー消費量を正確に予測してこの予測結果に応じて適切にトナーを補給する為に、現像器内部のトナーとキャリアの混合比率を検出するセンサが装備されている。
【０００３】
図７は、現像器にトナーとキャリアの混合比率を検出するセンサを用いた濃度制御機能を有した従来の画像形成装置の全体構成を示す。
【０００４】
ビデオコントローラ１は、ホストコンピュータ等（たとえばパーソナル・コンピュータ（以下ＰＣと呼ぶ））により作成されある特定の記述言語により記述された信号を受信し、画像形成装置本体のレーザドライバ２により潜像を作成する為の信号処理を行い、レーザドライバ２に信号を送信する。
【０００５】
レーザドライバ２は、電気信号を発光素子、たとえば、レーザダイオード（laser diode。以下、ＬＤと呼ぶ）により光信号に変換し、高速度で回転するポリゴンモータ（不図示）に取り付けられたポリゴンミラー３にレーザを照射し、ポリゴンミラー３により反射された光信号は反射ミラー４によって感光ドラム６表面に照射される。
【０００６】
感光ドラム６は予め帯電器５により一定電位に均一に帯電されており、光照射を受けることでこの光照射部位のみ電位が変化することで感光ドラム６上に静電潜像が形成される。
【０００７】
現像器１１には現像ローラ１０及び現像剤１２があり、感光ドラム６上に形成された静電潜像に従い現像ローラ１０により現像剤１２中トナーのみが感光ドラム６に付着し、画像として具現化される。この画像は、紙，ＯＨＴフィルム等に代表される記録部材２０に、転写器８にて転写される。
【０００８】
記録部材２０は記録部材搬送ローラ７及び９により搬送される。転写器８により画像を転写された記録部材２０は、搬送ローラ９により定着装置（不図示）により永久定着され、画像形成装置外に搬送される。
【０００９】
現像器１１には現像器内の現像剤のトナーとキャリアの混合比率を検出するセンサ２１が取り付けられており、画像形成動作により消費されたトナー量を検出する構成となっている。
【００１０】
またビデオコントローラ１では印字する記録部材２０の画像サイズに占める実印字画像比率を計数する回路即ち、総画素数に対するレーザ点灯画素数計数回路を有し、この情報をプリンタエンジンＣＰＵ１６に逐次告知する。現像剤のトナーとキャリアの混合比率を検出するセンサ２１の出力信号もまたＣＰＵ１６に接続されている。
【００１１】
ＣＰＵ１６はこれらのビデオコントローラ１からの情報及び現像剤のトナーとキャリアの混合比率を検出するセンサ２１からの情報により、トナー補給器１４から現像器１１に対してトナー補給を実行する様モータドライバ基板１７に対して命令信号を送出する。
【００１２】
モータドライバ基板１７はモータ１８と接続されておりＣＰＵ１６からの信号に従い回転を実行する。モータ１８が回転することによりモータ１８とギヤ１９にて接続されているスクリュ１３が回転しトナー補給容器１４内のトナーが現像器１１内に搬送、補給される。このような動作により、現像器１１内の現像剤１２の濃度を一定に保つ様にしている。
【００１３】
【発明が解決しようとする課題】
しかしながら、上述した従来技術に於いては、ビデオコントローラはＬＤの点灯比率を計数している為に、本来プリンタエンジンにおいて制御しなければならない要素を負担していることに加え、画像のエッジ部分を滑らかにするスムージング処理を行ったり画像に階調性を持たせる為の処理を施したりする為、上記計数の為のロジック規模が大きくなりコストアップ要因となってしまう。
【００１４】
更にプリンタエンジンＣＰＵが入手する情報が膨大な量となってしまう為、プリンタエンジンＣＰＵでの処理作業量が増大してしまい、これもまたコストアップ要因となってしまうという解決すべき課題が従来技術にはあった。
【００１５】
そこで本発明の目的は、安価な構成でトナー消費量の予測に係る処理を行う事を可能とすることにある。
【００１６】
【課題を解決するための手段】
このような目的を達成するために、本発明は、レーザビーム発光素子と、入力される信号に基づきレーザビーム発光素子の発光を制御するレーザ制御手段と、レーザビーム発光素子による発光に基づいて静電潜像を形成する像担持体と、像担持体上の静電潜像にトナーを付着させトナー画像として可視化させる現像器とを備えた画像形成装置であって、レーザ制御手段に入力される信号であって、レーザビーム発光素子の発光を制御するためのビデオ信号を入力し、入力されたビデオ信号をカウントするカウント手段を備え、カウント手段は、入力されたビデオ信号について、１ページの画像領域全てのビデオ信号をカウントすることなく、１ページの全画像領域におけるランダムな複数の箇所で前記ビデオ信号をカウントし、複数の箇所におけるビデオ信号のサンプル数に対するカウントでのレーザビーム発光素子を発光させるビデオ信号の数の比率に応じたトナー消費量に係る予測を行う、或いは、複数の箇所におけるビデオ信号のサンプル数に対するカウントでのレーザビーム発光素子を発光させるビデオ信号の数の比率に応じたトナー消費量に対応した処理を行うことを特徴とする。
【００２９】
【発明の実施の形態】
以下、図面を参照して本発明の実施形態を詳細に説明する。なお、前述の従来の技術も含めて各図面において同様の箇所には同一の符号を付している。
【００３０】
（実施形態１）
図１は、本発明を適用した画像形成装置の全体構成を示す。ビデオコントローラ１は、ホストコンピュータ等（ＰＣ）により作成されある特定の記述言語により記述された信号を受信し、画像形成装置本体のレーザドライバ２により潜像を作成する為の信号処理を行い、レーザドライバ２に信号を送信する。
【００３１】
レーザドライバ２は、電気信号（ビデオ信号）に基づきＬＤによりレーザ光を発光（点灯）させる。ＬＤにより発射されたレーザは高速度で回転するポリゴンミラー３、すなわち、ポリゴンモータ（不図示）に取り付けられたポリゴンミラー３により反射される。反射されたレーザは反射ミラー４によって感光ドラム６表面に照射される。
【００３２】
感光ドラム６は予め帯電器５により一定電位に均一に帯電されており、光照射を受けるとこの光照射部位のみ電位が変化することで感光ドラム６上に静電潜像が形成される。
【００３３】
現像器１１は現像ローラ１０及び現像剤１２を有する。感光ドラム６上に形成された静電潜像に従い現像ローラ１０により現像剤１２中トナーのみが感光ドラム６に付着し、画像として具現化される。この画像は、紙，ＯＨＴフィルム等に代表される記録部材２０に転写器８にて転写される。
【００３４】
記録部材２０は記録部材搬送ローラ７及び９により搬送される。転写器８により画像を転写された記録部材２０は、搬送ローラ９により定着装置（不図示）により永久定着され、画像形成装置外に搬送される。
【００３５】
本実施形態では、従来技術で行われていたビデオコントローラ１でのレーザ点灯比率の計数をプリンタエンジン部でのレーザ点灯カウント回路１５にて算出することを特徴としている。
【００３６】
このため本実施形態では、あらかじめ定められた画像領域内で特定の数だけビデオ信号をサンプルし、ビデオ信号がオンである数をカウントし、そのカウント値と総サンプル数の比率を算出することにより、あらかじめ定められた画像領域内でのレーザ点灯比率を算出する。
【００３７】
図２を用いて本実施形態でレーザ点灯比率を算出する方法を説明する。図２において１１２は画像が印刷される用紙を示している。１１３は前記用紙内での画像が印刷される領域を示している。
【００３８】
本実施形態では画像領域１１３を１６分割している。１６分割された領域に１から１６の番号をつけている。この１から１６の画像領域内の１点でビデオ信号をサンプルし、それぞれビデオ信号のオン／オフを判定する。図２の各領域のうち黒く塗りつぶしてある部分でビデオ信号のオン／オフを判定する。
【００３９】
ビデオ信号がオンである数をカウントし、その数を分割した画像領域数（この場合は１６）で割ることでレーザ点灯比率を算出することができる。上述のようにして算出した値は厳密にいうとレーザ点灯比率と必ずしも一致しない。しかし、サンプルする数が十分大きければ上述のように算出した値と実際のレーザ点灯比率はほぼ等しい。
【００４０】
本実施形態の方法では、画像領域内でできるだけ多くのビデオ信号をサンプルすることと、ランダムにビデオ信号をサンプルすることが重要である。上記２つの条件を満たさない場合は、算出したレーザ点灯比率と実際のレーザ点灯比率の誤差が大きくなってしまう。
【００４１】
図３は本実施形態のレーザ点灯カウント回路の代表的回路を示したものである。図３を用いてレーザ点灯カウント回路の動作を説明する。これらの回路は同期式のディジタル回路で構成されている。ただし、システムクロックは図示していない。
【００４２】
ビデオコントローラ１から入力されたビデオ信号Ｓ１をフリップフロップ１０２で受けて、同期信号にする。サンプルタイミング生成部１０６では、レーザビームの走査方向の画像領域を示す水平イネーブル信号Ｓ３とレーザビームの走査方向と垂直方向の画像印字領域を示す垂直イネーブル信号Ｓ２が入力されている。水平イネーブル信号Ｓ３は図示しない水平同期信号に基づいてプリンタエンジン内部の制御ロジック回路（不図示）で生成することができる。また、垂直イネーブル信号Ｓ２は紙搬送のタイミングに応じてプリンタエンジン内部の制御ロジック回路（不図示）で生成することができる。
【００４３】
ＣＰＵ１６は、サンプルタイミング生成部１０６に、画像領域に応じた設定値Ｓ４を入力する。ゲート１０３はサンプルタイミング生成部１０６により決められたタイミングでビデオ信号Ｓ１を同期化した信号がオンである場合にハイ（ＨＩＧＨ）となる。
【００４４】
カウンタ１０４は、所定の画像領域内でゲート１０３がハイ（ＨＩＧＨ）となった回数つまりビデオ信号がオンとなった回数をカウントする。上記カウント値は所定の画像領域内における静電潜像作成が終わるとＣＰＵ１６に送られる（Ｓ５）。ＣＰＵ１６は上記カウント値とあらかじめ決められた総サンプル数（たとえば、図２の区間数１６）との比率から所定の画像領域内でのレーザ点灯比率を算出することができる。
【００４５】
図４はサンプルタイミング生成部１０６の構成を示す。カウンタ１１０は図２の１６分割されたうちの１つ１つの区間を生成するためのタイマの役割を果たす。詳しくは、画像領域１１３を全て走査する期間を１６等分してその１区間を走査する期間をカウントするカウント値（Ｓ８＝Ｓ４）をＣＰＵ１６がカウンタ１１０にロードして、そのカウント値をクロックごとにデクリメントするダウンカウンタを構成する。
【００４６】
例えば、本実施形態においては図２の１つの区間を生成するために１０クロック分カウントするとした場合、ＣＰＵ１６はカウンタ１１０にカウント値９をロードする。カウンタ１１０には、レーザが画像領域内部を走査している期間だけカウンタ１１０をイネーブルとするカウンタイネーブル信号Ｓ７が入力されていて、カウンタ１１０はレーザが画像領域を走査している期間だけカウント動作を行う。
【００４７】
カウンタ１１０はカウント値が０になると、キャリアウト信号Ｓ９を出力し、ＣＰＵ１６からの値Ｓ８をロードする。以後この動作を続ける。このようにして、カウンタ１１０により、画像領域１１３を１６分割することができる。上記のように１６分割された各区間のそれぞれ１点でのみビデオ信号のオン／オフを判定する。
【００４８】
この１区間内でビデオ信号をサンプルするタイミングはランダムであることが望まれる。リニアフィードバックシフトレジスタ１０７はランダムな値をレジスタ１０８にロードするために用いる。カウンタ１１０の出力Ｓ１０が０になるタイミングで、キャリアウト信号Ｓ９がハイ（ＨＩＧＨ）となり、このリニアフィードバックシフトレジスタ１０７から出力された値をレジスタ１０８にロードする。
【００４９】
リニアフィードバックシフトレジスタ１０７は垂直イネーブル信号Ｓ２がハイ（ＨＩＧＨ）の期間は動作するので、カウンタ１１０と動作している期間が同期しなくなるために、出力がランダムになることが期待できる。コンパレータ１０９はレジスタ１０８の値とカウンタ１１０の出力Ｓ１０とを比較し、両者が一致したタイミングで信号Ｓ１１をハイ（ＨＩＧＨ）とする。このような構成にすることにより、各区間の中で１回かつ各区間毎にランダムなタイミングでビデオ信号のオン／オフを判定するタイミング信号Ｓ６を生成することができる。
【００５０】
以上のようにして、プリンタエンジンのＣＰＵ１６は1ページあたりのレーザ点灯比率を算出することができる。また、レーザ点灯比率と紙サイズをパラメータとしてトナー消費量を求めるテーブル（不図示）をＣＰＵ１６がアクセスするメモリ（不図示）にあらかじめ記憶しておくことにより、ＣＰＵ１６は上記テーブルを参照しトナー消費量を予測することができる。
【００５１】
（実施形態２）
図５は本実施形態のレーザ点灯カウント回路の他の回路の構成を示す。実施形態１で説明した箇所と同じ動作を行う箇所には同じ符号を付している。本実施形態において、プリンタエンジン部は、図５に示したレーザ点灯カウント回路以外の部分は、実施形態１で示した回路を備える。
【００５２】
実施形態２のレーザ点灯カウント回路は実施形態１の回路と比べて、ＣＰＵ１６からサンプルタイミング生成部１０６にロードする信号Ｓ４がなくなっており、カウンタ１１４を追加している。実施形態１では画像を印字する領域に応じてＣＰＵ１６がロードするカウント値Ｓ４の値を変えていた。本実施形態では、サンプルタイミング生成部にロードする値は画像領域によらず一定とする。しかし、この値を一定にすると画像領域により、ビデオ信号Ｓ１をサンプルする回数が異なる。したがって、レーザ点灯比率を算出する際の分母の数が画像領域によって異なる。
【００５３】
本実施形態ではビデオ信号Ｓ１をサンプルする回数をカウントするために、カウンタ１１４を追加する。カウンタ１１４により、画像領域内のビデオ信号Ｓ１をサンプルした回数をカウントする。
【００５４】
カウンタ１０４によりカウントされた、ビデオ信号がオンであった数Ｓ５とサンプル総数Ｓ６をＣＰＵ１６に送ることで、ＣＰＵ１６は画像領域によらず、1ページあたりのレーザ点灯比率を算出することができる。また、レーザ点灯比率と紙サイズをパラメータとしてトナー消費量を求めるテーブル（不図示）をＣＰＵ１６がアクセスするメモリ（不図示）にあらかじめ記憶しておくことにより、ＣＰＵ１６は上記テーブルを参照しトナー消費量を予測することができる。
【００５５】
（実施形態３）
図６は本実施形態のレーザ点灯カウント回路のさらに他の回路を示したものである。実施形態１で説明した箇所と同じ動作を行う箇所には同じ符号を付している。本実施形態において、プリンタエンジン部は、図６に示したレーザ点灯カウント回路以外の部分は、実施形態１で示した回路を備える。
【００５６】
実施形態３のレーザ点灯カウント回路は実施形態１の回路と比べて、カウンタ１１４を追加している点が異なる。実施形態１では画像を印字する領域に応じてＣＰＵ１６がロードするカウント値Ｓ４の値を変えていた。これにより、常に画像領域内でビデオ信号をサンプルする数を常に決められた所定の値としてＣＰＵ内部に格納する（たとえば、図２の区間数１６）。
【００５７】
しかしながら、サンプルする数を所定数（たとえば、１６）に合わせるあたり、ＣＰＵ１６が図４のカウンタ１１０にロードするカウント値（Ｓ８＝Ｓ４）は整数しか設定できないので、印字領域の大きさによっては全領域を走査する期間を上記カウント値で割り切れない場合があり、サンプルする数を所定の数にすることができない場合がある。
【００５８】
本実施形態では、レーザ点灯比率を算出する精度を高めるために、画像領域内でサンプルする数をカウントするカウンタ１１４を追加している。カウンタ１１４により、画像領域内のビデオ信号Ｓ１をサンプルした回数をカウントする。
【００５９】
カウンタ１０４によりカウントされた、ビデオ信号がオンであった数Ｓ５とサンプル総数Ｓ６をＣＰＵ１６に送ることで、ＣＰＵ１６は高精度に1ページあたりのレーザ点灯比率を算出することができる。また、レーザ点灯比率と紙サイズをパラメータとしてトナー消費量を求めるテーブル（不図示）をＣＰＵ１６がアクセスするメモリ（不図示）にあらかじめ記憶しておくことにより、ＣＰＵ１６は上記テーブルを参照しトナー消費量を予測することができる。
【００６０】
（実施形態総括）
以上、本発明の実施形態で説明した方法で、レーザ点灯比率を算出することにより、トナー消費量を予測できる。このため、ＣＰＵ１６はトナー消費量の予測値に基づいて、以下のトナー補給シーケンスにより的確なトナー補給が可能となり、現像器１１内の現像剤１２の濃度を一定に保つ様にしている。
【００６１】
図１を参照して、トナー補給方法について説明する。本発明の実施形態で説明した方法により、ＣＰＵ１６は1ページあたりのレーザ点灯比率を算出することができる。実際のトナー補給量は、紙サイズと上記レーザ点灯比率をパラメータとして、図1のモータ１８の回転量をＣＰＵ１６が制御することにより制御される。
【００６２】
例えば、A4サイズでレーザ点灯比率が50%の場合は、モータ１８を1回転だけ回転させることによりトナー補給を行う、というように制御することができる。この制御のためのデータとして、紙サイズとレーザ点灯比率をパラメータとした最適なモータ１８の回転量のテーブル（不図示）をＣＰＵ１６がアクセスするメモリ（不図示）に記憶しておくと良い。なお、ここで述べたモータ回転量は一例であって、このモータ回転量に限定されるものではない。
【００６３】
また本発明の実施形態では、単色の画像形成装置にて説明を進めたが、多色画像形成装置等にも適用することが可能である。
【００６４】
上記各実施形態においては、トナー消費量の予測値に基づいてトナー濃度を調整するものとして説明をしたが、ＣＰＵ１６が上記予測値を定着装置の温度制御のパラメータとして利用することも可能である。例えば、トナー消費量が多い（レーザ点灯比率が高い）と予測できた場合は、定着装置の温度を高く設定して定着性を高める、等である。
【００６５】
上記予測値に基づいてＣＰＵ１６が定着装置の温度制御を行う方法を説明する。本発明の実施形態で説明した方法により、ＣＰＵ１６は1ページあたりのレーザ点灯比率を算出することができる。上記レーザ点灯比率をパラメータとしたレーザ点灯比率に対応する定着装置の温度をテーブル（不図示）として、ＣＰＵ１６がアクセスするメモリ（不図示）に記憶しておくことにより、定着装置の温度を最適な値に制御することができる。例えば、レーザ点灯比率が20％未満の場合の定着装置の温度を１８０℃、２０％以上５０％未満の時の温度を１９０℃、５０％以上の時の温度を２００℃などに設定することにより、定着性を高めることができる。最適な定着装置の温度は一例であって、この温度に限定されるものではない。
以上、説明したように、ビデオ信号のオンの数をカウントし、そのカウント値に基づき、光（レーザ）の点灯比率を算出する。このため、算出したレーザ点灯比率からトナー消費量を正確に予測することができる。これにより、的確なトナー補給が可能となり濃度むらの少ない安定した画像の継続的出力が可能となる。また、回路構成についてもディジタル回路のみで構成でき、エンジン制御ロジック回路内部で安価に構成できる。
【００６６】
【発明の効果】
以上、説明したように、本発明によれば、安価な構成でトナー消費量の予測に係る処理を行う事が可能となる。
【図面の簡単な説明】
【図１】本発明実施形態のプリンタの全体構成図である。
【図２】本発明実施形態のレーザ点灯比率を算出する方法の説明図である。
【図３】本発明実施形態の第１の実施形態の説明図である。
【図４】本発明実施形態のサンプルタイミング生成部の構成図である。
【図５】本発明実施形態の第２の実施形態の説明図である。
【図６】本発明実施形態の第３の実施形態の説明図である。
【図７】従来のプリンタの全体構成図である。
【符号の説明】
１  ビデオコントローラ
２  レーザドライバ
３  ポリゴンミラー
４  反射ミラー
５  帯電器
６  感光ドラム
７  記録部材搬送ローラ７
８  転写器
９  記録部材搬送ローラ
１０  現像ローラ
１１  現像器
１２  現像剤
１３  スクリュ
１４  トナー補給容器
１５  レーザ点灯カウント回路
１６  ＣＰＵ
１７  モータドライバ基板
１８  モータ
１９  ギヤ
２０  記録部材
１０２  フリップフロップ
１０３  ゲート
１０４  カウンタ
１０６  サンプルタイミング生成部
１０７  リニアフィードバックシフトレジスタ
１０８  レジスタ
１０９  コンパレータ
１１０  カウンタ
１１２  用紙
１１３  画像領域
１１４  カウンタ
Ｓ１  ビデオ信号
Ｓ２  垂直イネーブル信号
Ｓ３  水平イネーブル信号
Ｓ４  １区間を走査する期間のカウント値
Ｓ５  ビデオ信号がオンであったカウント値
Ｓ６  サンプル総数
Ｓ７  カウンタイネーブル信号
Ｓ８  １区間を走査する期間のカウント値
Ｓ９  キャリアウト信号
Ｓ１０  カウンタ出力
Ｓ１１  タイミング信号
【図１】
0004822578.tif 000002
【図２】
0004822578.tif 000003
【図３】
0004822578.tif 000004
【図４】
0004822578.tif 000005
【図５】
0004822578.tif 000006
【図６】
0004822578.tif 000007
【図７】
0004822578.tif 000008